(57)【要約】【課題】リーダから無線タグへの起動信号を電磁誘導方式で確実に伝送する。【解決手段】地下施設に設置される無線タグと、地下施設の近傍を通過する車両に設置されるリーダとにより構成され、リーダから所定の周期で起動信号を送信し、当該起動信号を受信した無線タグから応答信号を送信し、当該応答信号をリーダが受信する無線タグシステムにおいて、車両の走行方向をｘ軸方向とし、走行方向に対して直交する左右方向をｙ軸方向とし、走行方向に対して直交する上下方向をｚ軸とし、リーダは、起動信号を電磁誘導方式で送信する電磁誘導用アンテナのコイルの開口面がｘ軸方向に向けて設置される構成であり、無線タグは、起動信号を電磁誘導方式で受信する電磁誘導用アンテナのコイルの開口面がｘ軸方向に向けて設置され、リーダの電磁誘導用アンテナから送出された磁力線の一部が通過し、起動信号を受信する構成である。【選択図】  図１
2014052869.tif 000002
【特許請求の範囲】
【請求項１】
地下施設に設置される無線タグと、前記地下施設の近傍を通過する車両に設置されるリーダとにより構成され、前記リーダから所定の周期で起動信号を送信し、当該起動信号を受信した前記無線タグから応答信号を送信し、当該応答信号を前記リーダが受信する無線タグシステムにおいて、
前記車両の走行方向をｘ軸方向とし、走行方向に対して直交する左右方向をｙ軸方向とし、走行方向に対して直交する上下方向をｚ軸とし、
前記リーダは、前記起動信号を電磁誘導方式で送信する電磁誘導用アンテナのコイルの開口面が前記ｘ軸方向に向けて設置される構成であり、
前記無線タグは、前記起動信号を電磁誘導方式で受信する電磁誘導用アンテナのコイルの開口面が前記ｘ軸方向に向けて設置され、前記リーダの電磁誘導用アンテナから送出された磁力線の一部が通過し、前記起動信号を受信する構成である
ことを特徴とする無線タグシステム。
【請求項２】
地下施設に設置される無線タグと、前記地下施設の近傍を通過する車両に設置されるリーダとにより構成され、前記リーダから所定の周期で起動信号を送信し、当該起動信号を受信した前記無線タグから応答信号を送信し、当該応答信号を前記リーダが受信する無線タグシステムにおいて、
前記車両の走行方向をｘ軸方向とし、走行方向に対して直交する左右方向をｙ軸方向とし、走行方向に対して直交する上下方向をｚ軸とし、
前記リーダは、前記起動信号を電磁誘導方式で送信する電磁誘導用アンテナのコイルの開口面が前記ｙ軸方向に向けて設置される構成であり、
前記無線タグは、前記起動信号を電磁誘導方式で受信する電磁誘導用アンテナのコイルの開口面が前記ｙ軸方向に向けて設置され、前記リーダの電磁誘導用アンテナから送出された磁力線の一部が通過し、前記起動信号を受信する構成である
ことを特徴とする無線タグシステム。
【請求項３】
地下施設に設置される無線タグと、前記地下施設の近傍を通過する車両に設置されるリーダとにより構成され、前記リーダから所定の周期で起動信号を送信し、当該起動信号を受信した前記無線タグから応答信号を送信し、当該応答信号を前記リーダが受信する無線タグシステムにおいて、
前記車両の走行方向をｘ軸方向とし、走行方向に対して直交する左右方向をｙ軸方向とし、走行方向に対して直交する上下方向をｚ軸とし、
前記リーダは、前記起動信号を電磁誘導方式で送信する電磁誘導用アンテナのコイルの開口面が前記ｚ軸方向に向けて設置される構成であり、
前記無線タグは、前記起動信号を電磁誘導方式で受信する電磁誘導用アンテナのコイルの開口面が前記ｚ軸に向けて設置され、前記リーダの電磁誘導用アンテナから送出された磁力線の一部が通過し、前記起動信号を受信する構成である
ことを特徴とする無線タグシステム。
【請求項４】
地下施設に設置される無線タグと、前記地下施設の近傍を通過する車両に設置されるリーダとにより構成され、前記リーダから所定の周期で起動信号を送信し、当該起動信号を受信した前記無線タグから応答信号を送信し、当該応答信号を前記リーダが受信する無線タグシステムにおいて、
前記車両の走行方向をｘ軸方向とし、走行方向に対して直交する左右方向をｙ軸方向とし、走行方向に対して直交する上下方向をｚ軸とし、
前記リーダは、前記起動信号を電磁誘導方式で送信する電磁誘導用アンテナのコイルの開口面がｘ軸とｚ軸との間の斜め方向またはｙ軸とｚ軸との間の斜め方向に向けて設置される構成であり、
前記無線タグは、前記起動信号を電磁誘導方式で受信する電磁誘導用アンテナのコイルの開口面がｘ軸とｚ軸との間の斜め方向またはｙ軸とｚ軸との間の斜め方向に向けて設置され、前記リーダの電磁誘導用アンテナから送出された磁力線の一部が通過し、前記起動信号を受信する構成である
ことを特徴とする無線タグシステム。
【請求項５】
地下施設に設置される無線タグと、前記地下施設の近傍を通過する車両に設置されるリーダとにより構成され、前記リーダから所定の周期で起動信号を送信し、当該起動信号を受信した前記無線タグから応答信号を送信し、当該応答信号を前記リーダが受信する無線通信方法において、
前記車両の走行方向をｘ軸方向とし、走行方向に対して直交する左右方向をｙ軸方向とし、走行方向に対して直交する上下方向をｚ軸とし、
前記リーダは、前記起動信号を電磁誘導方式で送信する電磁誘導用アンテナのコイルの開口面が前記ｘ軸の方向に向けて設置され、
前記無線タグは、前記起動信号を電磁誘導方式で受信する電磁誘導用アンテナのコイルの開口面が前記ｘ軸の方向に向けて設置され、前記リーダの電磁誘導用アンテナから送出された磁力線の一部が通過し、前記起動信号を受信する
ことを特徴とする無線通信方法。
【請求項６】
地下施設に設置される無線タグと、前記地下施設の近傍を通過する車両に設置されるリーダとにより構成され、前記リーダから所定の周期で起動信号を送信し、当該起動信号を受信した前記無線タグから応答信号を送信し、当該応答信号を前記リーダが受信する無線通信方法において、
前記車両の走行方向をｘ軸方向とし、走行方向に対して直交する左右方向をｙ軸方向とし、走行方向に対して直交する上下方向をｚ軸とし、
前記リーダは、前記起動信号を電磁誘導方式で送信する電磁誘導用アンテナのコイルの開口面が前記ｙ軸の方向に向けて設置され、
前記無線タグは、前記起動信号を電磁誘導方式で受信する電磁誘導用アンテナのコイルの開口面が前記ｙ軸の方向に向けて設置され、前記リーダの電磁誘導用アンテナから送出された磁力線の一部が通過し、前記起動信号を受信する
ことを特徴とする無線通信方法。
【請求項７】
地下施設に設置される無線タグと、前記地下施設の近傍を通過する車両に設置されるリーダとにより構成され、前記リーダから所定の周期で起動信号を送信し、当該起動信号を受信した前記無線タグから応答信号を送信し、当該応答信号を前記リーダが受信する無線通信方法において、
前記車両の走行方向をｘ軸方向とし、走行方向に対して直交する左右方向をｙ軸方向とし、走行方向に対して直交する上下方向をｚ軸とし、
前記リーダは、前記起動信号を電磁誘導方式で送信する電磁誘導用アンテナのコイルの開口面が前記ｚ軸の方向に向けて設置され、
前記無線タグは、前記起動信号を電磁誘導方式で受信する電磁誘導用アンテナのコイルの開口面が前記ｚ軸の方向に向けて設置され、前記リーダの電磁誘導用アンテナから送出された磁力線の一部が通過し、前記起動信号を受信する
ことを特徴とする無線通信方法。
【請求項８】
地下施設に設置される無線タグと、前記地下施設の近傍を通過する車両に設置されるリーダとにより構成され、前記リーダから所定の周期で起動信号を送信し、当該起動信号を受信した前記無線タグから応答信号を送信し、当該応答信号を前記リーダが受信する無線通信方法において、
前記車両の走行方向をｘ軸方向とし、走行方向に対して直交する左右方向をｙ軸方向とし、走行方向に対して直交する上下方向をｚ軸とし、
前記リーダは、前記起動信号を電磁誘導方式で送信する電磁誘導用アンテナのコイルの開口面がｘ軸とｚ軸との間の斜め方向またはｙ軸とｚ軸との間の斜め方向に向けて設置され、
前記無線タグは、前記起動信号を電磁誘導方式で受信する電磁誘導用アンテナのコイルの開口面がｘ軸とｚ軸との間の斜め方向またはｙ軸とｚ軸との間の斜め方向に向けて設置され、前記リーダの電磁誘導用アンテナから送出された磁力線の一部が通過し、前記起動信号を受信する
ことを特徴とする無線通信方法。
【発明の詳細な説明】
【技術分野】
【０００１】
本発明は、少なくとも一方が移動するリーダと無線タグとの間で情報交換を行う無線タグシステムおよび無線通信方法に関する。
【０００２】
例えば、マンホール内の保守監視情報を収集蓄積する無線タグと、マンホールのある道路上を通過する車両に搭載したリーダとにより構成され、マンホールの上または近傍を通過する車両のリーダに対して、無線タグが収集蓄積したマンホールの保守監視情報を送信する無線タグシステムおよび無線通信方法に関する。
【背景技術】
【０００３】
図１０は、従来の無線タグシステムの構成例を示す（非特許文献１）。図１０(1) は全体的な構成例を示し、図１０(2) はリーダおよび無線タグの構成例を示す。
【０００４】
図１０(1) において、車両１に搭載されるリーダ１０には、電磁誘導方式による起動信号の送信に用いる電磁誘導用アンテナ１１および電波方式による応答信号の受信に用いる受信アンテナ１２が接続される。車両１が走行する道路の下（地中）にマンホール５があり、マンホール５内に設置される無線タグ２０には、起動信号の受信に用いる電磁誘導用アンテナ２１および応答信号の送信に用いる送信アンテナ２２が接続される。
【０００５】
リーダ１０は、電磁誘導用アンテナ１１から所定の周期で起動信号を送信している。リーダ１０に接続される電磁誘導用アンテナ１１と、無線タグ２０に接続される電磁誘導用アンテナ２１が正対したときに、電磁誘導用アンテナ１１から下向きに出ている磁力線（図１０(2) に破線で示す）を電磁誘導用アンテナ２１が捕捉することにより、リーダ１０から無線タグ２０に起動信号が伝送される。無線タグ２０は起動信号の受信を契機として、無線タグ２０の送信アンテナ２２から応答信号を送信し、当該応答信号がリーダ１０の受信アンテナ１２に受信される。
【０００６】
図１０(2) おいて、リーダ１０は、起動信号を生成して電磁誘導用アンテナ１１から送信する送信部１３と、受信アンテナ１２に受信した応答信号の受信・復号処理を行い、受信データの表示、蓄積、読み出しを行う受信部１４を備える。
【０００７】
無線タグ２０は、電磁誘導用アンテナ２１を介して受信する信号の復号処理を行い、それがリーダ１０から送信された起動信号であれば、無線タグ２０を構成する他の部分の動作を開始させる受信部２３、受信部２３から入力する起動信号の情報に応じた応答信号を生成する制御部２４、制御部２４から応答信号を入力して送信アンテナ２２から無線信号として送信する送信部２５を備える。なお、無線タグ２０が送信する応答信号には、無線タグ２０に接続されたセンサ等の情報生成機器から取得した情報が含まれる。
【０００８】
ここで、マンホール５に設置される無線タグ２０は、リーダ１０が送信する特定の起動信号を受信した場合にのみ動作し、通常は無線タグ内部の構成の大部分は動作を停止しており、消費電力をほとんど必要としない。
【０００９】
無線タグ２０は起動信号を受信するとリーダ１０に応答信号を送信（返信）するが、無線タグ２０が起動信号受信から応答信号送信までには多少の時間を要することから、その間に車両１は既にマンホール５を通過していることになる。したがって、リーダ１０は無線タグ２０からの応答信号を車両１の後方から受信することになるので、電波方式の応答信号を受信する受信アンテナ１２を車両１の進行方向後方に設置することによって高速移動をしながらの通信を実現する。
【先行技術文献】
【非特許文献】
【００１０】
【非特許文献１】坪井秀幸，吉岡弘貴，安藤篤也，中村宏之、“地下埋設設備の情報を走行車両にて取得する無線技術の一検討”、電子情報通信学会2012年総合大会講演論文集、B-5-39、2012年３月
【発明の概要】
【発明が解決しようとする課題】
【００１１】
ところで、一般的に電磁誘導方式は通信エリアが限られ、リーダと無線タグの双方の電磁誘導用アンテナが正対しているときに、リーダが送信する起動信号を無線タグが受信することができる。また、通信距離も数ｍと短いため、車両が無線タグに十分近づいた状態でないと起動信号の伝送が困難である。よって、電磁誘導方式を用いて高速移動時に起動信号を伝送するためには、電磁誘導用アンテナの設置方法に工夫が必要であった。
【００１２】
図１０に示す例は、車両１に搭載される電磁誘導用アンテナ１１と、マンホール５内に設置される電磁誘導用アンテナ２１として、それぞれループ状のコイルを開口部が正対するように配置し、一方の電磁誘導用アンテナ１１で発生させた磁力線が他方の電磁誘導用アンテナ２１で捕捉されることを示している。このとき、電磁誘導用アンテナ１１を車両１の内部に取り付ける場合には、発生する磁力線が車両１（車体の鉄部）の影響を受けて弱まることを考慮する必要がある。また、電磁誘導用アンテナ１１を車両１の外部に取り付ける場合には、道路交通法の規制を考慮する必要がある。特に、車両１の床下に取り付ける場合には、電磁誘導用アンテナ１１と地面との間隔を既定値以上に確保する必要があることから、車高の高い車両が必要になって汎用性が狭まる。
【００１３】
一方、マンホール５内に設置される電磁誘導用アンテナ２１については、車両１に搭載される電磁誘導用アンテナ１１で発生する磁力線を効率よく捕捉するとともにマンホール５の蓋の影響を回避する設置位置や、設置スペースの関係からできるだけ小さい形状のものが要求される。
【００１４】
本発明は、リーダから無線タグへの起動信号を電磁誘導方式で伝送する無線タグシステムにおいて、リーダと無線タグとの間で確実に起動信号を伝送することができる無線タグシステムおよび無線通信方法を提供することを目的とする。
【課題を解決するための手段】
【００１５】
第１の発明は、地下施設に設置される無線タグと、地下施設の近傍を通過する車両に設置されるリーダとにより構成され、リーダから所定の周期で起動信号を送信し、当該起動信号を受信した無線タグから応答信号を送信し、当該応答信号をリーダが受信する無線タグシステムにおいて、車両の走行方向をｘ軸方向とし、走行方向に対して直交する左右方向をｙ軸方向とし、走行方向に対して直交する上下方向をｚ軸とし、リーダは、起動信号を電磁誘導方式で送信する電磁誘導用アンテナのコイルの開口面がｘ軸方向に向けて設置される構成であり、無線タグは、起動信号を電磁誘導方式で受信する電磁誘導用アンテナのコイルの開口面がｘ軸方向に向けて設置され、リーダの電磁誘導用アンテナから送出された磁力線の一部が通過し、起動信号を受信する構成である。
【００１６】
第２の発明は、地下施設に設置される無線タグと、地下施設の近傍を通過する車両に設置されるリーダとにより構成され、リーダから所定の周期で起動信号を送信し、当該起動信号を受信した無線タグから応答信号を送信し、当該応答信号をリーダが受信する無線タグシステムにおいて、車両の走行方向をｘ軸方向とし、走行方向に対して直交する左右方向をｙ軸方向とし、走行方向に対して直交する上下方向をｚ軸とし、リーダは、起動信号を電磁誘導方式で送信する電磁誘導用アンテナのコイルの開口面がｙ軸方向に向けて設置される構成であり、無線タグは、起動信号を電磁誘導方式で受信する電磁誘導用アンテナのコイルの開口面がｙ軸方向に向けて設置され、リーダの電磁誘導用アンテナから送出された磁力線の一部が通過し、起動信号を受信する構成である。
【００１７】
第３の発明は、地下施設に設置される無線タグと、地下施設の近傍を通過する車両に設置されるリーダとにより構成され、リーダから所定の周期で起動信号を送信し、当該起動信号を受信した無線タグから応答信号を送信し、当該応答信号をリーダが受信する無線タグシステムにおいて、車両の走行方向をｘ軸方向とし、走行方向に対して直交する左右方向をｙ軸方向とし、走行方向に対して直交する上下方向をｚ軸とし、リーダは、起動信号を電磁誘導方式で送信する電磁誘導用アンテナのコイルの開口面がｚ軸方向に向けて設置される構成であり、無線タグは、起動信号を電磁誘導方式で受信する電磁誘導用アンテナのコイルの開口面がｚ軸に向けて設置され、リーダの電磁誘導用アンテナから送出された磁力線の一部が通過し、起動信号を受信する構成である。
【００１８】
第４の発明は、地下施設に設置される無線タグと、地下施設の近傍を通過する車両に設置されるリーダとにより構成され、リーダから所定の周期で起動信号を送信し、当該起動信号を受信した無線タグから応答信号を送信し、当該応答信号をリーダが受信する無線タグシステムにおいて、車両の走行方向をｘ軸方向とし、走行方向に対して直交する左右方向をｙ軸方向とし、走行方向に対して直交する上下方向をｚ軸とし、リーダは、起動信号を電磁誘導方式で送信する電磁誘導用アンテナのコイルの開口面がｘ軸とｚ軸との間の斜め方向またはｙ軸とｚ軸との間の斜め方向に向けて設置される構成であり、無線タグは、起動信号を電磁誘導方式で受信する電磁誘導用アンテナのコイルの開口面がｘ軸とｚ軸との間の斜め方向またはｙ軸とｚ軸との間の斜め方向に向けて設置され、リーダの電磁誘導用アンテナから送出された磁力線の一部が通過し、起動信号を受信する構成である。
【００１９】
第５の発明は、地下施設に設置される無線タグと、地下施設の近傍を通過する車両に設置されるリーダとにより構成され、リーダから所定の周期で起動信号を送信し、当該起動信号を受信した無線タグから応答信号を送信し、当該応答信号をリーダが受信する無線通信方法において、車両の走行方向をｘ軸方向とし、走行方向に対して直交する左右方向をｙ軸方向とし、走行方向に対して直交する上下方向をｚ軸とし、リーダは、起動信号を電磁誘導方式で送信する電磁誘導用アンテナのコイルの開口面がｘ軸の方向に向けて設置され、無線タグは、起動信号を電磁誘導方式で受信する電磁誘導用アンテナのコイルの開口面がｘ軸の方向に向けて設置され、リーダの電磁誘導用アンテナから送出された磁力線の一部が通過し、起動信号を受信する。
【００２０】
第６の発明は、地下施設に設置される無線タグと、地下施設の近傍を通過する車両に設置されるリーダとにより構成され、リーダから所定の周期で起動信号を送信し、当該起動信号を受信した無線タグから応答信号を送信し、当該応答信号をリーダが受信する無線通信方法において、車両の走行方向をｘ軸方向とし、走行方向に対して直交する左右方向をｙ軸方向とし、走行方向に対して直交する上下方向をｚ軸とし、リーダは、起動信号を電磁誘導方式で送信する電磁誘導用アンテナのコイルの開口面がｙ軸の方向に向けて設置され、無線タグは、起動信号を電磁誘導方式で受信する電磁誘導用アンテナのコイルの開口面がｙ軸の方向に向けて設置され、リーダの電磁誘導用アンテナから送出された磁力線の一部が通過し、起動信号を受信する。
【００２１】
第７の発明は、地下施設に設置される無線タグと、地下施設の近傍を通過する車両に設置されるリーダとにより構成され、リーダから所定の周期で起動信号を送信し、当該起動信号を受信した無線タグから応答信号を送信し、当該応答信号をリーダが受信する無線通信方法において、車両の走行方向をｘ軸方向とし、走行方向に対して直交する左右方向をｙ軸方向とし、走行方向に対して直交する上下方向をｚ軸とし、リーダは、起動信号を電磁誘導方式で送信する電磁誘導用アンテナのコイルの開口面がｚ軸の方向に向けて設置され、無線タグは、起動信号を電磁誘導方式で受信する電磁誘導用アンテナのコイルの開口面がｚ軸の方向に向けて設置され、リーダの電磁誘導用アンテナから送出された磁力線の一部が通過し、起動信号を受信する。
【００２２】
第８の発明は、地下施設に設置される無線タグと、地下施設の近傍を通過する車両に設置されるリーダとにより構成され、リーダから所定の周期で起動信号を送信し、当該起動信号を受信した無線タグから応答信号を送信し、当該応答信号をリーダが受信する無線通信方法において、車両の走行方向をｘ軸方向とし、走行方向に対して直交する左右方向をｙ軸方向とし、走行方向に対して直交する上下方向をｚ軸とし、リーダは、起動信号を電磁誘導方式で送信する電磁誘導用アンテナのコイルの開口面がｘ軸とｚ軸との間の斜め方向またはｙ軸とｚ軸との間の斜め方向に向けて設置され、無線タグは、起動信号を電磁誘導方式で受信する電磁誘導用アンテナのコイルの開口面がｘ軸とｚ軸との間の斜め方向またはｙ軸とｚ軸との間の斜め方向に向けて設置され、リーダの電磁誘導用アンテナから送出された磁力線の一部が通過し、起動信号を受信する。
【発明の効果】
【００２３】
本発明は、車両に設置されるリーダの電磁誘導用アンテナの開口面を車両の進行方向（ｘ軸方向）に向けて、あるいは進行方向に対して直交方向（ｙ軸方向またはｚ軸方向）に向けて、あるいは斜め方向に向けて取り付け、地下施設に設置される無線タグの電磁誘導用アンテナの開口面が同方向に設置することにより、リーダの電磁誘導用アンテナから送出された磁力線の一部を無線タグの電磁誘導用アンテナで効率よく捕捉し、起動信号を確実に受信させることができる。
【図面の簡単な説明】
【００２４】
【図１】本発明の無線タグシステムにおける電磁誘導用アンテナの実施例１を示す図である。
【図２】本発明の無線タグシステムにおける電磁誘導用アンテナの実施例２を示す図である。
【図３】本発明の無線タグシステムにおける電磁誘導用アンテナの実施例３を示す図である。
【図４】本発明の無線タグシステムにおける電磁誘導用アンテナの実施例４を示す図である。
【図５】本発明の無線タグシステムにおける電磁誘導用アンテナの実施例５を示す図である。
【図６】本発明の無線タグシステムにおける電磁誘導用アンテナの実施例６を示す図である。
【図７】本発明の無線タグシステムにおける電磁誘導用アンテナの実施例７を示す図である。
【図８】本発明の無線タグシステムにおける電磁誘導用アンテナの実施例８を示す図である。
【図９】本発明の無線タグシステムにおける電磁誘導用アンテナの実施例９を示す図である。
【図１０】従来の無線タグシステムの構成例を示す図である。
【発明を実施するための形態】
【実施例１】
【００２５】
図１は、本発明の無線タグシステムにおける電磁誘導用アンテナの実施例１を示す。なお、以下に示す実施例１〜実施例９では、車両１の走行方向をｘ軸方向とし、走行方向に対して直交する左右方向をｙ軸方向とし、走行方向に対して直交する上下方向をｚ軸として説明する。
図１において、車両１に搭載される電磁誘導用アンテナ１１は、車両１の内部（後部または中間部）に、コイルの開口面がｘ軸方向に向けて取り付けられる。破線は、起動信号によって電磁誘導用アンテナ１１に発生する磁力線を示す。なお、電磁誘導用アンテナ１１に接続されるリーダ１０は省略している。一方、マンホール５内の電磁誘導用アンテナ２１は、開口面が電磁誘導用アンテナ１１の開口面と同方向であり、ｘ軸方向に向けて設置される。電磁誘導用アンテナ１１から送出された磁力線は、地上を走行する車両１の内部から地中のマンホール５内へ到達し、その一部がマンホール５内の電磁誘導用アンテナ２１を通過し、起動信号を受信できるようになっている。なお、電磁誘導用アンテナ２１に接続される無線タグ２０は省略している。
【００２６】
ここでは、車両１に搭載される電磁誘導用アンテナ１１は、電線を方形ループ状に４回巻いたコイルを例示しており、開口面（ｙ・ｚ面）と直交方向（ｘ軸方向）に磁力線が発生する。マンホール５内に設置される電磁誘導用アンテナ２１は、電線を数十〜百数十回巻いた円柱状の微小なコイルを例示しており、開口面を通過する磁力線によって起電力が生じる。
【００２７】
なお、マンホール５内の電磁誘導用アンテナ２１として、図１に示す微小コイルを３軸（ｘ軸，ｙ軸，ｚ軸）方向にそれぞれ配置し、３軸方向からの磁力線に対応し、すべての方向からの起動信号を受信できるようにしてもよい。
【００２８】
また、磁力線の方向は、周囲の環境に透磁率が異なる物質が存在すると影響を受ける。車体の大部分は鉄部であり、鉄自体は透磁率が高く（μFe＝5000μ0 ［N/A2］、μ0 は真空の透磁率を表し、４π×10-7［N/A2］である）、空中（μair ≒１×μ0 ［N/A2］）あるいは地中（μsoil＝１×μ0 ［N/A2］）等と比較すると、車体は磁力線を通過しやすいと云える。したがって、電磁誘導用アンテナ１１から発生する磁力線は、車体（鉄部）により遮蔽される（磁力線が車内から車外へ送出されにくい）ことが想定される。しかし、車体は鉄部だけでできているわけではなく、鉄に比べて透磁率が低い窓ガラスやプラスチック部材も多く使用されている。電磁誘導用アンテナ１１から発生する磁力線はこれらを透過して車外へ送出され、さらにマンホール５内に設置される電磁誘導用アンテナ２１に到達することができる。
【００２９】
また、車両１が背面扉をもつ場合（例えばハッチバック式）には、当該背面扉を鉄製からアルミニウム製や樹脂製のものに交換することにより、電磁誘導用アンテナ１１から車両後方へ送出される磁力線を増大させることができる。特に、電磁誘導用アンテナ１１を車両１の後部に設置する場合に有効である。
【実施例２】
【００３０】
図２は、本発明の無線タグシステムにおける電磁誘導用アンテナの実施例２を示す。
図２において、車両１に搭載される電磁誘導用アンテナ１１は、車両１の後部車外に、コイルの開口面がｘ軸方向に向けて、車体との間に所定の隙間を設けて取り付けられる。なお、電磁誘導用アンテナ１１に接続されるリーダ１０は省略している。一方、マンホール５内の電磁誘導用アンテナ２１は、開口面が電磁誘導用アンテナ１１の開口面と同方向であり、ｘ軸方向に向けて設置される。電磁誘導用アンテナ１１から送出された磁力線（破線で示す）は、地上を走行する車両１の後部車外から地中のマンホール５内へ到達し、その一部がマンホール５内の電磁誘導用アンテナ２１を通過し、起動信号を受信できるようになっている。なお、電磁誘導用アンテナ２１に接続される無線タグ２０は省略している。
【００３１】
ここで、電磁誘導用アンテナ１１と車体との間に所定の隙間を設けることにより、電磁誘導用アンテナ１１で発生させた磁力線が車体によって遮蔽される影響を小さくしている。
【実施例３】
【００３２】
図３は、本発明の無線タグシステムにおける電磁誘導用アンテナの実施例３を示す。ここでは、車両１を側面と背面から見た状態を示す。
【００３３】
図３において、車両１に搭載される電磁誘導用アンテナ１１は、車両１の内部（側面部または中間部）に、コイルの開口面がｙ軸方向に向けて取り付けられる。なお、電磁誘導用アンテナ１１に接続されるリーダ１０は省略している。一方、マンホール５内の電磁誘導用アンテナ２１は、開口面が電磁誘導用アンテナ１１の開口面と同方向であり、ｙ軸方向に向けて設置される。電磁誘導用アンテナ１１から送出された磁力線（破線で示す）は、地上を走行する車両１の内部から地中のマンホール５内へ到達し、その一部がマンホール５内の電磁誘導用アンテナ２１を通過し、起動信号を受信できるようになっている。なお、電磁誘導用アンテナ２１に接続される無線タグ２０は省略している。
【００３４】
本実施例においても、電磁誘導用アンテナ１１から発生する磁力線は、車体側面の窓ガラスやプラスチック部材を透過して車外へ送出され、さらにマンホール５内に設置される電磁誘導用アンテナ２１に到達することができる。
【００３５】
また、本実施例の構成では、電磁誘導用アンテナ１１の開口面（ｘ・ｚ面）が車両１の走行方向（ｘ軸方向）に対して長さを有するので、車両１の走行中にマンホール５内の電磁誘導用アンテナ２１が磁力線を受けている時間が長くなり、良好な受信特性が期待できる。
【実施例４】
【００３６】
図４は、本発明の無線タグシステムにおける電磁誘導用アンテナの実施例４を示す。ここでは、車両１を側面と背面から見た状態を示す。
【００３７】
本実施例は、実施例３の車両１の内部に搭載される電磁誘導用アンテナ１１を、車両１の屋根の上に垂直方向に設置したものであり、その他の位置関係および特徴は実施例３と同様である。さらに、本実施例における磁力線は車両１を回り込むため、車体（鉄部）により遮られることはない。
【実施例５】
【００３８】
図５は、本発明の無線タグシステムにおける電磁誘導用アンテナの実施例５を示す。ここでは、車両１を側面と背面から見た状態を示す。
【００３９】
本実施例は、実施例４の車両１の屋根の上に直交方向に設置される電磁誘導用アンテナ１１を、開口面を対向させて２つ設置したものであり、その他の位置関係および特徴は実施例３，４と同様である。さらに、本実施例における磁力線は実施例３，４に比べて強力になり、また車両１を回り込むため、車体（鉄部）により遮られることはない。
【実施例６】
【００４０】
図６は、本発明の無線タグシステムにおける電磁誘導用アンテナの実施例６を示す。ここでは、車両１を側面と背面から見た状態を示す。
【００４１】
図６において、車両１に搭載される電磁誘導用アンテナ１１は、車両１の内部（後部または中間部）に、コイルの開口面がｚ軸方向に向けて取り付けられる。なお、電磁誘導用アンテナ１１に接続されるリーダ１０は省略している。一方、マンホール５内の電磁誘導用アンテナ２１は、開口面が電磁誘導用アンテナ１１の開口面と同方向であり、ｚ軸方向に向けて設置される。電磁誘導用アンテナ１１から送出された磁力線（破線で示す）は、地上を走行する車両１の内部から地中のマンホール５内へ到達し、その一部がマンホール５内の電磁誘導用アンテナ２１を通過し、起動信号を受信できるようになっている。なお、電磁誘導用アンテナ２１に接続される無線タグ２０は省略している。
【００４２】
本実施例では、電磁誘導用アンテナ１１から発生する磁力線は車両１の床面（ｘ・ｙ面）に直交する方向（ｚ軸方向）になるので、電磁誘導用アンテナ１１の下側の床部がアルミニウム製や樹脂製の部材を用いる。これにより、磁力線は床面に直交方向に当該部材を介して車外へ送出され、さらにマンホール５内に設置される電磁誘導用アンテナ２１に到達することができる。
【００４３】
また、本実施例の構成では、電磁誘導用アンテナ１１の開口面（ｘ・ｙ面）が車両１の走行方向（ｘ軸方向）に対して長さを有するので、車両１の走行中にマンホール５内の電磁誘導用アンテナ２１が磁力線を受けている時間が長くなり、良好な受信特性が期待できる。
【実施例７】
【００４４】
図７は、本発明の無線タグシステムにおける電磁誘導用アンテナの実施例７を示す。ここでは、車両１を側面と背面から見た状態を示す。
【００４５】
本実施例は、実施例６の車両１の内部に搭載される電磁誘導用アンテナ１１を、車両１の屋根の上に水平に設置したものであり、その他の位置関係および特徴は実施例６と同様である。なお、本実施例の場合は、磁力線が車両１の屋根と床の両方を通過するので、当該通過部分にアルミニウム製や樹脂製の部材を用いる。
【実施例８】
【００４６】
図８は、本発明の無線タグシステムにおける電磁誘導用アンテナの実施例８を示す。
図８において、車両１に搭載される電磁誘導用アンテナ１１は、車両１の内部（後部または中間部）に、コイルの開口面がｘ軸とｚ軸との間の斜め方向に向けて取り付けられる。なお、電磁誘導用アンテナ１１に接続されるリーダ１０は省略している。一方、マンホール５内の電磁誘導用アンテナ２１は、開口面が電磁誘導用アンテナ１１の開口面に対して同方向であり、ｘ軸とｚ軸との間の斜め方向に向けて設置される。電磁誘導用アンテナ１１から送出された磁力線（破線で示す）は、地上を走行する車両１の内部から地中のマンホール５内へ到達し、その一部がマンホール５内の電磁誘導用アンテナ２１を通過し、起動信号を受信できるようになっている。なお、電磁誘導用アンテナ２１に接続される無線タグ２０は省略している。
【００４７】
本実施例では、電磁誘導用アンテナ１１から発生する磁力線は斜め方向に車外へ送出され、さらにマンホール５内に設置される電磁誘導用アンテナ２１に到達することができる。特に、図８(b) に示すように電磁誘導用アンテナ１１の開口面と直交する方向（車両１の後方斜め下方向）へは複数の磁力線が集まっているので、電磁誘導用アンテナ１１から発生する磁力線は比較的遠くへ到達できる。また、図８(a) に示すように、車両１がマンホール５を通過する時から磁力線が電磁誘導用アンテナ２１に到達していれば、図８(b) に示す通過後まで、マンホール５内の電磁誘導用アンテナ２１が磁力線を受けている時間が長くなり、良好な受信特性が期待できる。また、実施例６と同様に、電磁誘導用アンテナ１１の開口面は斜め方向であるもののｘ軸方向の成分を有し、車両１の走行方向（ｘ軸方向）に対して長さを有するので、車両１の走行中にマンホール５内の電磁誘導用アンテナ２１が磁力線を受けている時間が長くなり、良好な受信特性が期待できる。
【実施例９】
【００４８】
図９は、本発明の無線タグシステムにおける電磁誘導用アンテナの実施例９を示す。
図９において、車両１に搭載される電磁誘導用アンテナ１１は、車両１の内部（側面部または中間部）に、コイルの開口面がｙ軸とｚ軸との間の斜め方向に向けて取り付けられる。なお、電磁誘導用アンテナ１１に接続されるリーダ１０は省略している。一方、マンホール５内の電磁誘導用アンテナ２１は、開口面が電磁誘導用アンテナ１１の開口面に対して同方向であり、ｙ軸とｚ軸との間の斜め方向に向けて設置される。電磁誘導用アンテナ１１から送出された磁力線（破線で示す）は、地上を走行する車両１の内部から地中のマンホール５内へ到達し、その一部がマンホール５内の電磁誘導用アンテナ２１を通過し、起動信号を受信できるようになっている。なお、電磁誘導用アンテナ２１に接続される無線タグ２０は省略している。
【００４９】
本実施例では、電磁誘導用アンテナ１１から発生する磁力線は斜め方向に車外へ送出され、さらにマンホール５内に設置される電磁誘導用アンテナ２１に到達することができる。特に、図９(b) に示すように電磁誘導用アンテナ１１の開口面と直交する方向（車両１の右斜め下方向）へは複数の磁力線が集まっているので、電磁誘導用アンテナ１１から発生する磁力線は比較的遠くへ到達できる。したがって、図９(a) に示すように車両１がマンホール５の右側を通過することより、図９(b) に示すように車両１がマンホール５の左側を通過する（電磁誘導用アンテナ１１を傾けた方向にマンホール５を見て通過する）方が、車両１がマンホール５から多少離れていても良好な受信特性が期待できる。電磁誘導用アンテナ１１の傾け方を逆にすれば、マンホール５に対する車両１の左右関係も逆になる。
【００５０】
また、本実施例においても、実施例６，８と同様に、電磁誘導用アンテナ１１の開口面は斜め方向であるもののｘ軸方向の成分を有し、車両１の走行方向（ｘ軸方向）に対して長さを有するので、車両１の走行中にマンホール５内の電磁誘導用アンテナ２１が磁力線を受けている時間が長くなり、良好な受信特性が期待できる。
【符号の説明】
【００５１】
１    車両
５    マンホール
１０  リーダ
１１  電磁誘導用アンテナ
１２  受信アンテナ
１３  送信部
１４  受信部
２０  無線タグ
２１  電磁誘導用アンテナ
２２  送信アンテナ
２３  受信部
２４  制御部
２５  送信部
【図１】
2014052869.tif 000003
【図２】
2014052869.tif 000004
【図３】
2014052869.tif 000005
【図４】
2014052869.tif 000006
【図５】
2014052869.tif 000007
【図６】
2014052869.tif 000008
【図７】
2014052869.tif 000009
【図８】
2014052869.tif 000010
【図９】
2014052869.tif 000011
【図１０】
2014052869.tif 000012